(57)【要約】【課題】部品製造時の手間並びにコストの低減を図れ、簡単な工程で容易に組み立てが可能で、しかもスムースなスライド動作を実現することができる扉収納装置を提供する。【解決手段】収納体１０の側板１３，１４に対して互いに対向するように取り付けられる一対のスライド部３１，３２と、一対のスライド部の一部に軸支され、上記扉を開閉自在とするヒンジ部３３，３４と、を有し、スライド部３１，３２の各々は、収納体の奥行き方向に向くようにガイドレールが側板１３，１４に取り付けられるガイド部３１１，３２１と、ヒンジ部が軸支され、ガイド部のガイドレールに摺動可能に取り付けされるスライダ３１２，３２２と、スライダ３１２，３２２に対して回転可能に取り付けられるピニオン３１３，３２３と、歯部が収納体の奥行き方向に向かい、かつ、歯部がピニオン３１３，３２３と噛合するように取り付けされるラック部３１４，３２４と、を含む。【選択図】      図４
2006028960.tif 000002
【特許請求の範囲】
【請求項１】
箱状収納体の開口部を開閉する扉を、開放時に上記収納体に収納可能とする扉収納装置であって、
上記収納体に互いに対向するように取り付けられる一対のスライド部と、
上記一対のスライド部の一部に軸支され、上記扉を開閉自在とするヒンジ部と、を有し、
上記一対のスライド部の各々は、
ガイドレールが上記収納体の奥行き方向に向くように上記収納体に取り付けられるガイド部と、
上記ヒンジ部が軸支され、上記ガイド部のガイドレールに摺動可能に取り付けされるスライダと、
上記スライダに対して回転可能に取り付けられるピニオンと、
歯部が上記収納体の奥行き方向に向かい、かつ、上記歯部が上記ピニオンと噛合するように、上記ガイド部と離間して上記収納体に取り付けされるラック部と、を含み、
上記一対のスライド部のピニオンは、互いに対向するように配置されている
扉収納装置。
【請求項２】
上記ガイド部と上記ラック部は、別体として形成されている
請求項１記載の扉収納装置。
【請求項３】
上記ラック部は、ラックと、上記ラックを取り付け可能で、かつ、取り付けたラックが上記ピニオンと噛合するように上記収納体に取り付け可能なラック取付具と、を有する
請求項１または２記載の扉収納装置。
【請求項４】
上記ラック部は、上記収納体への取り付け時に、上記ピニオンとの噛合状態を調整可能な調整部を有する
請求項１〜３のうちのいずれか一に記載の扉収納装置。
【請求項５】
上記スライド部のガイド部の上記開口部側の端部に、外周部が上記扉の開閉時の軌跡に沿うような所定の曲率をもつエンドキャップを有する
請求項１〜４のうちのいずれか一に記載の扉収納装置。
【請求項６】
上記スライド部のガイド部と上記収納体間には上記扉の収納空間が形成され、当該収納体側には、扉の上記収納空間におけるスライド動作を補助する補助ガイド部を有する
請求項１〜５のうちのいずれか一に記載の扉収納装置。
【発明の詳細な説明】
【技術分野】
【０００１】
本発明は、家具やキャビネット等の収納体の扉を開放した後、扉を収納体に収納可能とする扉収納装置に関するものである。
【背景技術】
【０００２】
家具やキャビネット等の箱状収納体の開口部を開閉する扉を、開放時に収納体側に押し入れて収納する収納構造が種々提案され、実用に供されている（たとえば特許文献１参照）。
【０００３】
図１および図２は、特許文献１に記載された扉の収納構造を示す図である。図１は収納構造の部品の分解斜視図、図２は収納構造の要部組付け斜視図である。
【０００４】
図において、１は扉、２ａ，２ｂはガイド溝が形成されたガイド部、３はラック、４ａ，４ｂは摺動子、５ａａ，５ｂはピニオン、６は連結竿をそれぞれ示している。
【０００５】
この収納構造においては、図示しないキャビネットの開口部の一側または両側の上下、あるいはキャビネットの上部左右側にガイド部２ａ，２ｂを配置し、ガイド部２ａ，２ｂに沿って扉１を直角に引き出し、あるいは水平に引き起こした状態で、ガイド部２ａ，２ｂに沿って扉１を押し込み収納する。
【０００６】
扉１とガイド部２ａ，２ｂとの関係において、ガイド部２ａ，２ｂのガイド溝を形成する立上がり側壁の一側にラック３を形成して、このラック３に対して、摺動子４ａ，４ｂに取り付けたピニオン５ａ，５ｂを噛合させている。
ガイド部２ａ，２ｂのガイド溝に組み入れられて使用される摺動子４ａ，４ｂは、連結竿６をもって互いに連結され、連結竿６の両軸端にピニオン５ａ，５ｂがそれぞれ軸支されている。
摺動子４ａ，４ｂには、窪み状（段差状）のピニオン５ａ，５ｂの収納部が形成されている。
【０００７】
このように、特許文献１に記載された扉の収納構造によれば、ラック３が形成されたガイド部２ａ，２ｂに対して、ピニオン５ａ，５ｂが埋設するように取り付けられた摺動子４ａ，４ｂをガイド部２ａ，２ｂに面的に接触させて嵌合する。そして、摺動子４ａ，４ｂ相互をピニオン５ａ，５ｂに連結竿６をもって一体として組み付けることにより、上下あるいは左右の摺動子４ａ，４ｂは力の付加位置に関係なく、正確に同調をもって送り込み、引き出しが行われる。
【特許文献１】実公平４−２９０１９号公報
【発明の開示】
【発明が解決しようとする課題】
【０００８】
ところが、特許文献１に記載された扉の収納構造によれば、ラック３がガイド部２ａ，２ｂのガイド溝を形成する立上がり側壁の一側にラック３を形成して、このラック３に対して、摺動子４ａ，４ｂに取り付けたピニオン５ａ，５ｂを噛合させていることから、ラックの形成位置等を精密に行う必要があり、その結果、部品製造に手間、並びにコストがかかるという不利益がある。
また、摺動子４ａ，４ｂには、窪み状のピニオン５ａ，５ｂの収納部を形成する必要があることから、摺動子４ａ，４ｂの形状が複雑で、この点からも部品製造に手間、並びにコストがかかるという不利益がある。
そして、取り付け構造自体が複雑であり、組み立て工程も増大するという不利益がある。
【０００９】
また、ピニオン５ａ，５ｂは、連結竿６の軸端に軸支されていることから、その取り付け位置は固定的であり、また、ラック３も上述したように、ガイド部２ａ，２ｂに固定的に形成されていることから、両者の噛合関係は略部品同士の取り付け精度で決定される。したがって、噛合具合が緩かったり、きつすぎたりしても、噛合状態を調整することが困難で、扉のスライド動作において、不具合が生じた場合、良好な噛合状態を得られるガイド部と摺動子を選択して行う必要があり、スムースなスライド動作を実現するためには、取り付け時に煩雑な手間を要する場合があるという不利益がある。
【００１０】
本発明は、かかる事情に鑑みてなされたものであり、その目的は、部品製造時の手間並びにコストの低減を図れ、簡単な工程で容易に組み立てが可能で、しかもスムースなスライド動作を実現することができる扉収納装置を提供することにある。
【課題を解決するための手段】
【００１１】
上記目的を達成するために、本発明の観点は、箱状収納体の開口部を開閉する扉を、開放時に上記収納体に収納可能とする扉収納装置であって、上記収納体に互いに対向するように取り付けられる一対のスライド部と、上記一対のスライド部の一部に軸支され、上記扉を開閉自在とするヒンジ部と、を有し、上記一対のスライド部の各々は、ガイドレールが上記収納体の奥行き方向に向くように上記収納体に取り付けられるガイド部と、上記ヒンジ部が軸支され、上記ガイド部のガイドレールに摺動可能に取り付けされるスライダと、上記スライダに対して回転可能に取り付けられるピニオンと、歯部が上記収納体の奥行き方向に向かい、かつ、上記歯部が上記ピニオンと噛合するように、上記ガイド部と離間して上記収納体に取り付けされるラック部と、を含み、上記一対のスライド部のピニオンは、互いに対向するように配置されている。
【００１２】
好適には、上記ガイド部と上記ラック部は、別体として形成されている。
【００１３】
好適には、上記ラック部は、ラックと、ラックを取り付け可能で、かつ、上記収納体に取り付け可能なラック取付具と、を有する。
【００１４】
好適には、上記ラック部は、上記収納体への取り付け時に、上記ピニオンとの噛合状態を調整可能な調整部を有する。
【００１５】
好適には、上記スライド部のガイド部の上記開口部側の端部に、外周部が上記扉の開閉時の軌跡に沿うような所定の曲率をもつエンドキャップを有する。
【００１６】
好適には、上記スライド部のガイド部と上記収納体間には上記扉の収納空間が形成され、当該収納体側には、扉の上記収納空間におけるスライド動作を補助する補助ガイド部を有する。
【発明の効果】
【００１７】
本発明によれば、部品製造時の手間並びにコストの低減を図ることができる。
また、簡単な工程で容易に組み立てが可能で、しかもスムースなスライド動作を実現することができる利点がある。
【発明を実施するための最良の形態】
【００１８】
以下、本発明の実施形態を図面に関連付けて説明する。
【００１９】
図３は、本発明に係る扉収納装置が適用されるキャビネット等の箱状収納体の一実施形態を示す斜視図である。
【００２０】
図３の箱状収納体１０は、天板１１、底板１２、側板１３，１４、背板１５を有する直方体状をなし、前面側に矩形の開口部１５が形成されている。
そして、収納体１０には、後で詳述する本発明の係る扉収納装置が搭載され、扉２０が、扉収納装置によって、開口部１６を開閉可能に、かつ、開放時に収納体１０に収納可能に取り付けられる。
本実施形態においては、図３に示すように、収納体１０の上部左右側、すなわち、側板１３，１４の内壁に、一対のスライド部を配置し、スライド部に沿って扉２０を水平に引き起こした状態で、スライド部に沿って扉２０を収納体１０内の収納空間に押し込み収納する場合を例にしている。
ただし、収納体１０の内または外の一側または両側の上下に一対のスライド部を配置し、スライド部に沿って扉２０を直角に引き出し、スライド部に沿って扉２０を押し込み収納するように構成することも可能である。
【００２１】
装着される扉２０は、所定の肉厚を有する板状扉であり、ガラス板、合板等により構成される。扉２０の素材については特に限定されるものではない。
【００２２】
以下に、本実施形態に係る扉収納装置３０の具体的な構成について、図面に関連付けて説明する。
【００２３】
図４は、本実施形態に係る扉収納装置のヒンジ部を除く主要部を示す一部省略断面図であり、図５は、本実施形態に係る扉収納装置のヒンジ部の取り付け構造を示す一部省略断面図である。また、図６〜図８は、本実施形態に係る側断面図であって、図６は扉が閉状態にある場合の側断面図、図７は扉が開放され水平に引き起こした状態を示す側断面図、図８は扉が収納体に収納された状態を示す側断面図である。
【００２４】
図に示すように、扉収納装置３０は、一対のスライド部３１，３２と、一対のヒンジ部３３，３４と、連結竿３５と、前面側エンドキャップ３６、背面側エンドキャップ３７、補助ガイド部としての補助ガイドローラ３８を有している。
【００２５】
スライド部３１は、ガイド部３１１と、スライダ３１２と、ピニオン３１３と、ラック部３１４とを有する。
【００２６】
ガイド部３１１は、基底部３１１１の上縁部および下縁部から所定高さ立上がり、先端部が互いに対外に対向するように屈曲されたガイド板３１１２，３１１３を有し、基底部３１１１の表面、ガイド板３１１２，３１１３の内壁によりスライダ３１２を案内する溝状のガイドレール３１１４が形成されている。
ガイド部３１１は、図６〜図８に示すように、収納体１０の側板１３の内壁１３ａの上部であって、天板１１の内壁１１ａから所定間隔をおいて扉２０の収納空間４０を形成可能な位置に、ガイドレール３１１４が収納体１０の奥行き方向に向くように、かつ天板１１に略平行となるように、ネジ３１１５により固定される。
【００２７】
スライダ３１２は、直方体状の被ガイド部３１２１と、被ガイド部３１２１の上縁および下縁から所定長さ（ガイド部３１１のガイド板３１１２，３１１３の屈曲部の長さより若干長い長さ）だけ内側から突出するように形成され、ヒンジ部３３およびピニオン３１３が軸支される取付部３１２２とを有する。
被ガイド部３１２１は、ガイド部３１１の溝状のガイドレール３１１４に挿入可能で、しかもがたなく摺動可能な幅をもって形成されている。
取付部３１２２は、図４および図５に示すように、幅方向の略中央部で、長手方向の並列するようにヒンジ部３３が軸支されるヒンジ軸支孔３１２２１と、ピニオン３１３が軸支されるピニオン軸支孔３１２２２とが形成されている。
【００２８】
ピニオン３１３は、周縁部にラックの歯部と噛合する歯部３１３１が形成され、一面側には、スライダ３１２のピニオン軸支孔３１２２２に挿入する軸３１３２が形成され、他面側には、連結竿３５の一端部３５１が挿入される挿入孔３１３３ａが形成された連結竿取付部３１３３が形成されている。
なお、スライダ３１２のピニオン軸支孔３１２２２に挿入する軸３１３２には、図４に示すように、連結竿３５の一端部３５１の最先端部３５１ａが挿入可能な挿入孔３１３２ａが、挿入孔３１３３ａと連通するように形成されている。
ピニオン３１３の直径は、図に示すように、スライダ３１２の幅と略同様の値に設定される。
【００２９】
ラック部３１４は、ピニオン３１３の歯部３１３１と噛合可能な歯部３１４１ａが形成されたラック３１４１と、ラック３１４１を取り付け可能でかつ収納体１０、本実施形態では側板１３に取り付け可能なラック取付具３１４２を有する。
ラック取付具３１４２は、略Ｚ字状をなし、ラック３１４１を取り付けするためのラック取付板部３１４２１と、ラック取付板部３１４２１から所定長さだけ直交する延設板部３１４２２と、延設板部３１４２２の先端部からから取付部３１４２１とは逆方向（略１８０度方向）に延設するように屈曲された取付板部３１４２３とを有する。
ラック取付板部３１４２１は、その内面側（延設板部３１４２２側）にラック３１４がネジ３１４３により固定される。
取付板部３１４２３は、図６〜図８に示すように、長手方向に直交する長孔３１４２３ａが形成されており、この長孔３１４２３ａを通して収納体１０（本実施形態では側板１３）にネジにより取り付け可能に構成されている。
このラックを取り付けたラック取付具３１４２は、ラック３１４１の歯部３１４１ａがピニオン３１３の歯部３１３１と良好に噛合してスムースにスライドできるように、取付板部３１４２３の長孔３１４２３ａで噛合具合を微調整できるように調整部を有していることになる。
【００３０】
このように、本実施形態においては、スライド部３１において、ガイド部３１１とラッ
ク部３１４とは、別の部品として収納体１０の側板１３に取り付けられる。
【００３１】
スライド部３２は、ガイド部３２１と、スライダ３２２と、ピニオン３２３と、ラック部３２４とを有する。
【００３２】
ガイド部３２１は、基底部３２１１の上縁部および下縁部から所定高さ立上がり、先端部が対外に対向するように屈曲されたガイド板３２１２，３２１３を有し、基底部３２１１の表面、ガイド板３２１２，３２１３の内壁によりスライダ３２２を案内する溝状のガイドレール３２１４が形成されている。
ガイド部３２１は、図６〜図８に示すように、収納体１０の側板１４の内壁１４ａの上部であって、天板１１の内壁１１ａから所定間隔をおいて扉２０の収納空間４１を形成可能な位置に、ガイドレール３２１４が収納体１０の奥行き方向に向くように、かつ天板１１に略平行となるように、ネジ３２１５により固定される。
【００３３】
スライダ３２２は、直方体状の被ガイド部３２２１と、被ガイド部３２２１の上縁および下縁から所定長さ（ガイド部３２１のガイド板３２１２，３２１３の屈曲部の長さより若干長い長さ）よりだけ内側から突出するように形成され、ヒンジ部３４およびピニオン３２３が軸支される取付部３２２２とを有する。
被ガイド部３２２１は、ガイド部３２１の溝状のガイドレール３２１４に挿入可能で、しかもがたなく摺動可能な幅をもって形成されている。
取付部３２２２は、図４および図５に示すように、幅方向の略中央部で、長手方向の並列するようにヒンジ部３４が軸支されるヒンジ軸支孔３２２２１と、ピニオン３２３が軸支されるピニオン軸支孔３２２２２とが形成されている。
【００３４】
ピニオン３２３は、周縁部にラックの歯部と噛合する歯部３２３１が形成され、一面側には、スライダ３２２のピニオン軸支孔３２２２２に挿入する軸３２３２が形成され、他面側には、連結竿３５の一端部３５２が挿入される挿入孔３２３３ａが形成された連結竿取付部３２３３が形成されている。
なお、スライダ３２２のピニオン軸支孔３２２２２に挿入する軸３２３２には、図４に示すように、連結竿３５の一端部３５２の最先端部３５２ａが挿入可能な挿入孔３２３２ａが、挿入孔３２３３ａと連通するように形成されている。
ピニオン３２３の直径は、図に示すように、スライダ３２２の幅と略同様の値に設定される。
【００３５】
ラック部３２４は、ピニオン３２３の歯部３２３１と噛合可能な歯部３２４１ａが形成されたラック３２４１と、ラック３２４１を取り付け可能でかつ収納体１０、本実施形態では側板１４に取り付け可能なラック取付具３２４２を有する。
ラック取付具３２４２は、略Ｚ字状をなし、ラック３２４１を取り付けするためのラック取付板部３２４２１と、ラック取付板部３２４２１から所定長さだけ直交する延設板部（３２４２２）と、延設板部（３２４２２）の先端部からから取付部３２４２１とは逆方向（略１８０度方向）に延設するように屈曲された取付板部３２４２３とを有する。
ラック取付板部３２４２１は、その内面側（延設板部３２４２２側）にラック３２４がネジ３２４３により固定される。
取付板部３２４２３は、長手方向に直交する長孔３２４２３ａが形成されており、この長孔３２４２３ａを通して収納体１０（本実施形態では側板１４）にネジにより取り付け可能に構成されている。
このラックを取り付けたラック取付具３２４２は、ラック３２４１の歯部３２４１ａがピニオン３２３の歯部３２３１と良好に噛合してスムースにスライドできるように、取付板部３２４２３の長孔（３２４２３ａ）で噛合具合を微調整できるように調整部を有していることになる。
【００３６】
このように、本実施形態においては、スライド部３２において、ガイド部３２１とラック部３２４とは、別の部品として収納体１０の側板１４に取り付けられる。
【００３７】
なお、上記したスライド部３２の説明で符号に括弧を付しているのは、実際には図示されていない構成要素であるが、スライド部３１と同等の構成要素であることを示している。
基本的にスライド部３１と３２は、同一の部品により構成されており、いずれを側板１３，１４に取り付けつても問題ない。
スライド部３１と３２は、側板１３，１４の内壁１３ａ，１４ａに略同じ高さで、平行するように取り付けられる。
そして、ピニオン３１３，３２３同士が連結竿３５により連結されることから、スライド動作は、両スライド部３１，３２とで互いに同期をとった形で行われ、がたが殆どないスムースな動きを実現している。
【００３８】
ヒンジ部３３は、図５〜図８に示すように、略Ｌ字状をなし、軸保持部３３１と、扉取受部３３２とを有する。
軸保持部３３１には、スライダ３１２の取付部３１２２のスライダ軸支孔３１２２２に挿入する軸３３１２を有し、この軸３３１２はバネ（弾性体）により所定の弾性力で付勢されている。
扉取付部３３２には、複数のネジ孔３３２１が形成されており、ヒンジ部３３は、このネジ孔３３２１を介して扉２０の裏面２０ａの上部に、扉２０の上部を所定長さだけ残してネジ止めされる。
【００３９】
ヒンジ部３４は、図５〜図８に示すように、略Ｌ字状をなし、軸保持部３４１と、扉取受部３４２とを有する。
軸保持部３４１には、スライダ３２２の取付部３２２２のスライダ軸支孔３２２２２に挿入する軸３４１２を有し、この軸３４１２はバネ（弾性体）により所定の弾性力で付勢されている。
扉取付部３４２には、複数のネジ孔３４２１が形成されており、ヒンジ部３４は、このネジ孔３４２１を介して扉２０の裏面２０ａの上部に、ヒンジ部３３と同様な位置で扉２０の上部を所定長さだけ残してネジ止めされる。
【００４０】
前面側エンドキャップ３６は、スライド部３１，３２が側板１３，１４に取り付けられた後、スライド部３１，３２のガイド部３１１，３２１の開口部１６側の端部にはめ込まれ、ネジ３６１により側板１３，１４にネジ止めされる。
前面側エンドキャップ３６は、外周部が扉２０の開閉時の軌跡に沿うような所定の曲率をもつ円弧状（凸状）に形成されている。
この前面側エンドキャップ３６の円弧状をなす外周部にそって、扉２０は開閉時に案内される。すなわち、扉２０は、その裏面２０ａ側がエンドキャップ３６の円弧状をなす外周部に支持されながら（摺接しながら）開閉される。したがって、がたなくスムースに開閉が行われる。
【００４１】
また、背面側エンドキャップ３７は、スライド部３１，３２のガイド部３１１，３２１の背板１５側の端部にはめ込まれ、ネジ３６１により側板１３，１４にネジ止めされる。  
【００４２】
また、扉の収納空間４０，４１を形成する天板１１の内壁１１ａの両側において、開口部１６側に所定の面積をもつ扉当接回避部１１１が形成されている。
扉当接回避部１１１が形成されていることにより、扉２０がヒンジ部３３，３４の軸３３１１２、３３２１を中心に回転軌跡を形成する扉上部が天板１１の内壁１１ａに当接して回転動作を妨げることが回避され、スムースな開閉動作を実現している。
【００４３】
また、扉の収納空間４０，４１を形成する天板１１の内壁１１ａの両側において、その奥行き方向の略中央には、補助ガイドローラ３８が取り付けられている。
この補助ガイドローラ３８は、扉２０の収納空間４０，４１に対する出し入れの際に、扉２０のスライド領域幅を大まかの規制し、また、スライド動作をローラの回転力により補助する。
したがって、補助ガイドローラ３８は、スムースなスライド動作の実現の一翼を担っている。
【００４４】
次に、収納体１０への扉収納装置３０の取り付け作業の一例について説明する。
【００４５】
まず、扉の収納空間４０，４１を形成する天板１１の内壁１１ａの両側において、その奥行き方向の略中央に、補助ガイドローラ３８を取り付ける。
また、側板１３，１４の下部の所定の位置にダンパ５０をそれぞれネジ止めする。
【００４６】
次いで、ガイド部３１１を、収納体１０の側板１３の内壁１３ａの上部であって、天板１１の内壁１１ａから所定間隔をおいて扉２０の収納空間４０を形成可能な位置に、ガイドレール３１１４が収納体１０の奥行き方向に向くように、かつ天板１１に略平行となるように、ネジ３１１５により固定する。
同様に、ガイド部３２１を、収納体１０の側板１４の内壁１４ａの上部であって、天板１１の内壁１１ａから所定間隔をおいて扉２０の収納空間４１を形成可能な位置に、ガイドレール３２１４が収納体１０の奥行き方向に向くように、かつ天板１１に略平行となるように、ネジ３２１５により固定する。
【００４７】
次に、たとえばピニオン３１３の挿入孔３１３３ａ，３１３２ａに連結竿３５の一端部３５１ａ，３５１を挿入し、同様に、ピニオン３２３の挿入孔３２３３ａ，３２３２ａに連結竿３５の一端部３５２ａ，３５２を挿入する。
そして、ピニオン３１３の軸３１３２をスライダ３１２のピニオン軸支孔３１２２２に軸支させ、ピニオン３２３の軸３２３２をスライダ３２２のピニオン軸支孔３２２２２に軸支させる。
この状態で、スライダ３１２の被ガイド部３１２１をガイド部３１１のガイドレール３１１４に挿入し、スライダ３２２の被ガイド部３２２１をガイド部３２１のガイドレール３２１４に挿入する。
【００４８】
そして、前面側エンドキャップ３６を、スライド部３１，３２が側板１３，１４に取り付けられた後、スライド部３１，３２のガイド部３１１，３２１の開口部１６側の端部にはめ込み、ネジ３６１により側板１３，１４にネジ止めする。
また、背面側エンドキャップ３７を、スライド部３１，３２のガイド部３１１，３２１の背板１５側の端部にはめ込み、ネジ３６１により側板１３，１４にネジ止めする。
【００４９】
次に、ラック部３１４のラック取付具３１４２のラック取付板部３１４２１にラック３１４１をネジで固定する。
次に、ラック３１４２を取り付けたラック取付具３１４２を、ラック３１４１の歯部３１４１ａがピニオン３１３の歯部３１３１と良好に噛合してスムースにスライドできるように、取付板部３１４２３の長孔３１４２３ａで噛合具合を微調整し、良好な位置が決定すると、長孔３１４２３ａを通して側板１３の内壁１３ａにネジにより取り付ける。
同様に、ラック部３２４のラック取付具３２４２のラック取付板部３２４２１にラック３２４１をネジで固定する。
次に、ラック３２４２を取り付けたラック取付具３２４２を、ラック３２４１の歯部３２４１ａがピニオン３２３の歯部３２３１と良好に噛合してスムースにスライドできるように、取付板部３２４２３の長孔３２４２３ａで噛合具合を微調整し、良好な位置が決定すると、長孔３２４２３ａを通して側板１４の内壁１４ａにネジにより取り付ける。
【００５０】
次に、ヒンジ部３３の軸保持部３３１の軸３３１２をスライダ３１２の取付部３１２２のスライダ軸支孔３１２２２に挿入し軸支させ、ヒンジ部３４の軸保持部３４１の軸３４１２をスライダ３２２の取付部３２２２のスライダ軸支孔３２２２２に挿入し軸支させる。
そして、ヒンジ部３３の扉取付部３３２を、複数のネジ孔３３２１を通して扉２０の裏面２０ａの上部に、扉２０の上部を所定長さだけ残してネジ止めする。
同様に、ヒンジ部３４の扉取付部３４２を、複数のネジ孔３４２１を通して扉２０の裏面２０ａの上部に、扉２０の上部を所定長さだけ残してネジ止めする。
【００５１】
以上で組み立てが完了する。
なお、スライド部３１，３２  の取り付け順序等は、上記説明に限定されるものではなく、作業の状況等によって任意に変更可能であることはいうまでもない。
【００５２】
以上説明したように、本実施の形態によれば、収納体１０の側板１３，１４に対して互いに対向するように取り付けられる一対のスライド部３１，３２と、一対のスライド部の一部に軸支され、上記扉を開閉自在とするヒンジ部３３，３４と、を有し、スライド部３１，３２の各々は、収納体の奥行き方向に向くようにガイドレールが側板１３，１４に取り付けられるガイド部３１１，３２１と、ヒンジ部が軸支され、ガイド部のガイドレールに摺動可能に取り付けされるスライダ３１２，３２２と、スライダ３１２，３２２に対して回転可能に取り付けられるピニオン３１３，３２３と、歯部が収納体の奥行き方向に向かい、かつ、歯部がピニオン３１３，３２３と噛合するように、ガイド部３１，３２と離間して側板１３，１４に取り付けされるラック部３１４，３２４と、を含み、ラック部３１４，３２４は、ラックの歯部がピニオンの歯部と良好に噛合してスムースにスライドできるように、噛合具合を微調整できるように調整部を有していることから、以下の効果を得ることができる。
【００５３】
すなわち、本実施形態によれば、ラックの形成位置等を精密に行う必要がなく、その結果、部品製造の手間、並びにコストを低減することが可能である。
また、スライダ３１２，３２２の形状も、略Ｔ字状をなすように構成すればよく、形状を簡単化で、この点からも部品製造の手間、並びにコストを低減することができる。
そして、取り付け構造自体も簡単であり、組み立て作業も容易に行われる利点がある。
また、噛合具合が緩かったり、きつすぎたりしても、ラックの歯部がピニオンの歯部と良好に噛合してスムースにスライドできるように、噛合具合を簡単に微調整でき、スムースなスライド動作を実現するためには、取り付け時に煩雑な手間を要することがないという利点がある。
すなわち、本実施形態に係る扉収納装置３０によれば、部品製造時の手間並びにコストの低減を図れ、簡単な工程で容易に組み立てが可能で、しかもスムースなスライド動作を実現することができる利点がある。
【図面の簡単な説明】
【００５４】
【図１】従来の扉の収納構造を示す図であって、収納構造の部品の分解斜視図である。
【図２】従来の扉の収納構造を示す図であって、収納構造の要部組付け斜視図である。
【図３】本発明に係る扉収納装置が適用されるキャビネット等の箱状収納体の一実施形態を示す斜視図である。
【図４】本実施形態に係る扉収納装置のヒンジ部を除く主要部を示す一部省略断面図である。
【図５】本実施形態に係る扉収納装置のヒンジ部の取り付け構造を示す一部省略断面図である。
【図６】本実施形態に係る扉収納装置を採用した収納体の側断面図であって、扉が閉状態にある場合の側断面図である。
【図７】本実施形態に係る扉収納装置を採用した収納体の側断面図であって、扉が開放され水平に引き起こした状態を示す側断面図である。
【図８】本実施形態に係る扉収納装置を採用した収納体の側断面図であって、扉が収納体に収納された状態を示す側断面図である。
【符号の説明】
【００５５】
１０…箱状収納体、１１…天板、１２…底板、１３，１４…側板、１５…開口部、２０…扉、３０…扉収納装置、３１、３２…スライド部、３１１，３２１…ガイド部、３１２，３２２…スライダ、３１３，３２３…ピニオン、３１４，３２４…ラック部、３３，３４…ヒンジ部、３５…連結竿、３６…前面側エンドキャップ、３８…補助ガイドローラ、４０，４１…収納空間。
【図１】
2006028960.tif 000003
【図２】
2006028960.tif 000004
【図３】
2006028960.tif 000005
【図４】
2006028960.tif 000006
【図５】
2006028960.tif 000007
【図６】
2006028960.tif 000008
【図７】
2006028960.tif 000009
【図８】
2006028960.tif 000010